(57)【要約】【課題】集磁部材のサイズの制約を少なくでき、集磁効果を高めることができるアンテナ内蔵式電子時計を提供すること。【解決手段】電波修正時計は、磁性体コアおよびコイル２１２を有するアンテナ２１と、複数のモーター４１，４２と、アンテナ２１の長手方向に隣接する電池２８と、磁性体コアに磁気結合する集磁部材７０と、地板５０とを備える。集磁部材７０は、地板５０に設けられた電池収納部５２に、電池２８と時計厚さ方向に重ねられて配置されている。電池収納部５２を集磁部材７０の配置スペースとして兼用できるので、集磁部材７０の面積を大きくでき、集磁効果を高めることができる。【選択図】図６
2012163516.tif 000002
【特許請求の範囲】
【請求項１】
磁性体コアおよび磁性体コアに巻かれたコイルを有するアンテナと、
複数のモーターと、
前記アンテナの長手方向に隣接して配置された電池と、
前記アンテナの磁性体コアに磁気結合する磁性体からなる集磁部材と、
前記アンテナ、モーター、電池が取り付けられる地板とを備え、
前記集磁部材は、前記地板に設けられた電池収納部に、前記電池と時計厚さ方向に重ねられて配置されている
ことを特徴とするアンテナ内蔵式電子時計。
【請求項２】
請求項１に記載のアンテナ内蔵式電子時計において、
前記地板の電池収納部に収納される前記集磁部材および電池間には、非導電性部材からなるスペーサーが配置されている
ことを特徴とするアンテナ内蔵式電子時計。
【請求項３】
請求項１または請求項２に記載のアンテナ内蔵式電子時計において、
前記地板において磁性体コアが配置されるアンテナ収納部と、前記地板の電池収納部とは段差を有して連続して形成され、
前記集磁部材は、積層された複数枚の磁性箔体で構成されるとともに、前記アンテナ収納部から電池収納部に跨って、かつ、前記段差に沿って曲げられて設置されている
ことを特徴とするアンテナ内蔵式電子時計。
【請求項４】
請求項１から請求項３のいずれかに記載のアンテナ内蔵式電子時計において、
前記集磁部材は貫通孔を備え、
前記アンテナは、磁性体コアが固定されたアンテナ枠を備え、このアンテナ枠は、前記集磁部材の貫通孔に平面的に重なる位置に形成された貫通孔を備え、
前記アンテナ枠および集磁部材は、各貫通孔を介して地板にねじ止めされるねじで地板に固定されている
ことを特徴とするアンテナ内蔵式電子時計。
【請求項５】
請求項４に記載のアンテナ内蔵式電子時計において、
前記電池の正極または負極の一方に接触する電池端子板と、回路基板とは、前記ねじによって地板に固定されている
ことを特徴とするアンテナ内蔵式電子時計。
【請求項６】
請求項１から請求項５のいずれかに記載のアンテナ内蔵式電子時計において、
外装ケースに挿通される巻真を有する外部操作部材を備え、
前記アンテナは、外装ケースの平面中心を挟んで前記外部操作部材と反対側に配置され、
前記電池収納部は、前記磁性体コアの端部の突出方向に配置されている
ことを特徴とするアンテナ内蔵式電子時計。
【請求項７】
請求項１から請求項５のいずれかに記載のアンテナ内蔵式電子時計において、
外装ケースに挿通される巻真を有する外部操作部材を備え、
前記電池収納部は、外装ケースの平面中心を挟んで前記外部操作部材と反対側に配置され、
前記アンテナは、前記電池収納部に隣接し、かつ、外装ケース内周面に沿った位置に配置されている
ことを特徴とするアンテナ内蔵式電子時計。
【請求項８】
請求項１から請求項７のいずれかに記載のアンテナ内蔵式電子時計において、
前記モーターの表面側および裏面側には、モーターと平面的に重なり、かつ、前記磁性体コアおよび集磁部材と平面的に重ならない耐磁板が設けられている
ことを特徴とするアンテナ内蔵式電子時計。
【発明の詳細な説明】
【技術分野】
【０００１】
本発明は、外部から送信される無線電波を受信するアンテナを内蔵するアンテナ内蔵式電子時計に関する。
【背景技術】
【０００２】
従来、外部からの時刻情報等を含む無線電波をアンテナにて受信して、時刻修正等の処理を実施するアンテナ内蔵式電子時計が知られている。このようなアンテナ内蔵式電子時計において、アンテナの受信感度を向上させるために、アンテナにおける集磁効果を向上させることが知られている（例えば、特許文献１参照）。
ここで、無線電波には、例えば標準電波基地局から送信される長波標準電波等がある。
【０００３】
特許文献１のアンテナ内蔵式電子時計は、内部にアンテナを有し、当該アンテナは、アンテナコアと、アンテナコアの中央部分に巻回されるコイルと、アンテナコアの両端部に接着剤等により貼り付けられた集磁部材とを備えている。この集磁部材は、アンテナコアの表面に積層して固定されている。この構成によれば、アンテナを無線電波による磁界中におくと、無線電波による磁束が集磁部材に引き寄せられるので、アンテナコアを通過する磁束線の磁束密度が集磁部材を設けない場合と比べて高くなり、アンテナの受信感度が向上する。
【先行技術文献】
【特許文献】
【０００４】
【特許文献１】特開２００７−１８４８９４号公報
【発明の概要】
【発明が解決しようとする課題】
【０００５】
ところで、時計の内部スペースには制約があるのが一般的であり、集磁部材をアンテナコアの端部に貼り付けて、コアから突出するように配置すると、他の構成部材と干渉してしまうおそれがある。
そのため、集磁部材を他の構成部材と干渉しないように配置しなければならず、集磁部材の配置位置やサイズの制約が多くなってしまうという問題がある。特に、電波を受信して指針を現時刻に修正する時計では、１つのモーターですべての指針を移動させると修正に時間が掛かるため、通常は複数のモーターを配置する。このため、ケース内部には、複数のモーターと、このモーターの駆動力を指針に伝達する輪列と、電池と、アンテナなどの部品を配置しなければならない。このように、特に、腕時計のようなケース内部のスペースが小さい場合には、前記集磁部材を他の部品と干渉することなく配置するため、サイズを小さくしなければならず、集磁効果を十分に高めることが難しいという問題があった。
【０００６】
本発明の目的は、集磁部材のサイズの制約を少なくでき、集磁効果を高めることができるアンテナ内蔵式電子時計を提供することにある。
【課題を解決するための手段】
【０００７】
本発明のアンテナ内蔵式電子時計は、磁性体コアおよび磁性体コアに巻かれたコイルを有するアンテナと、複数のモーターと、前記アンテナの長手方向に隣接して配置された電池と、前記アンテナの磁性体コアに磁気結合する磁性体からなる集磁部材と、前記アンテナ、モーター、電池が取り付けられる地板とを備え、前記集磁部材は、前記地板に設けられた電池収納部に、前記電池と時計厚さ方向に重ねられて配置されていることを特徴とする。
【０００８】
本発明では、地板の電池収納部に、前記電池と時計厚さ方向に重ねて集磁部材を配置している。このため、集磁部材は、電池収納部の平面面積とほぼ同程度まで大型化できる。ここで、電池は、時計の部品の中でも大きな部品であり、電池収納部は地板の平面内において大きなスペースを専有する。従って、本発明によれば、電池収納部を集磁部材の配置スペースとして兼用しており、前記集磁部材を、電池収納部のサイズに合わせて形成することができ、面積の大きな集磁部材を構成できる。このため、集磁部材のサイズの制約を少なくでき、集磁効果を高めることができる。
【０００９】
本発明において、前記地板の電池収納部に収納される前記集磁部材および電池間には、非導電性部材からなるスペーサーが配置されていることが好ましい。
【００１０】
電池の容器は、通常、非磁性材であるステンレス製であるため、集磁効果には寄与しない。一方で、電池は金属製であるため、集磁部材に近すぎると、渦電流損が発生してアンテナ特性が低下する。
本発明では、集磁部材および電池間に、非導電性部材からなるスペーサーを配置しているので、集磁部材に電池が近接することを防止でき、渦電流損を低減してアンテナ特性を向上できる。
【００１１】
ここで、前記地板において磁性体コアが配置されるアンテナ収納部と、前記地板の電池収納部とは段差を有して連続して形成され、前記集磁部材は、積層された複数枚の磁性箔体で構成されるとともに、前記アンテナ収納部から電池収納部に跨って、かつ、前記段差に沿って曲げられて設置されていることが好ましい。
【００１２】
集磁部材が、アモルファスシート等の磁性箔体で構成されていれば、集磁部材を湾曲させて配置することができる。このため、前記段差を介して高さ位置が異なる電池収納部およびアンテナ収納部に跨って集磁部材を配置することができ、組立性を向上できる。例えば、集磁部材の積層枚数を、電池収納部およびアンテナ収納部に配置されるそれぞれの部分毎に異ならせることで厚さ寸法を調整し、前記段差に跨って集磁部材を配置することもできる。しかしながら、この場合には、集磁部材の製造が煩雑になり、かつ、集磁部材の向きなどにも注意しながらムーブメントを組み立てなければならない。これに対し、本発明では、集磁部材を取り付ける際に、前記段差に合わせて集磁部材を湾曲させて取り付ければよく、集磁部材の製造も容易となり、かつ、ムーブメントの組立性も向上できる。
【００１３】
本発明において、前記集磁部材は貫通孔を備え、前記アンテナは、磁性体コアが固定されたアンテナ枠を備え、このアンテナ枠は、前記集磁部材の貫通孔に平面的に重なる位置に形成された貫通孔を備え、前記アンテナ枠および集磁部材は、各貫通孔を介して地板にねじ止めされるねじで地板に固定されていることが好ましい。
【００１４】
ここで、貫通孔が平面的に重なるとは、時計を表面側から見た平面視において各貫通孔が重なること、つまり各貫通孔は時計の厚さ方向に連通されることを意味する。
アンテナ枠および集磁部材は、それぞれに設けられた貫通孔を介して地板にねじ止めされるため、アンテナ枠および集磁部材の間隔や固定力を一定に保つことができる。このため、磁性体コアと集磁部材との間隔も一定に維持でき、これらの間の磁気結合の度合いも一定に維持でき、アンテナ性能のバラツキを抑制できる。
【００１５】
ここで、前記電池の正極または負極の一方に接触する電池端子板と、回路基板とは、前記ねじによって地板に固定されていることが好ましい。
【００１６】
アンテナ枠、集磁部材に加えて、電池の端子板および回路基板を、同じねじで固定すれば、ねじ締め箇所の増加を防止でき、コストを低減できる。
【００１７】
本発明において、外装ケースに挿通される巻真を有する外部操作部材を備え、前記アンテナは、外装ケースの平面中心を挟んで前記外部操作部材と反対側に配置され、前記電池収納部は、前記磁性体コアの端部の突出方向に配置されていることが好ましい。
【００１８】
外部操作部材は、通常、時計の３時位置に配置されるため、アンテナは９時位置に配置されることになる。そして、電池収納部は、磁性体コアの端部の突出方向に配置されているので、時計の１２時位置や６時位置に配置される。従って、複数のモーターは、外部操作部材の周辺に配置でき、地板に取り付けられる部品のうち、アンテナ、電池、モーターを、時計の中心位置に配置される輪列の周囲に、分散して配置できるので、各部品を効率的に配置できる。
【００１９】
本発明において、外装ケースに挿通される巻真を有する外部操作部材を備え、前記電池収納部は、外装ケースの平面中心を挟んで前記外部操作部材と反対側に配置され、前記アンテナは、前記電池収納部に隣接し、かつ、外装ケース内周面に沿った位置に配置されていてもよい。
【００２０】
外部操作部材は、通常、時計の３時位置に配置されるため、電池収納部は９時位置に配置されることになる。そして、アンテナは、前記電池収納部に隣接し、かつ、外装ケース内周面に沿った位置に配置されているので、時計の１２時位置や６時位置に配置される。従って、複数のモーターは、外部操作部材の周辺に配置でき、地板に取り付けられる部品のうち、アンテナ、電池、モーターを、時計の中心位置に配置される輪列の周囲に、分散して配置できるので、各部品を効率的に配置できる。
【００２１】
本発明において、前記モーターの表面側および裏面側には、モーターと平面的に重なり、かつ、前記磁性体コアおよび集磁部材と平面的に重ならない耐磁板が設けられていることが好ましい。
【００２２】
ここで、モーターと耐磁板とが平面的に重なるとは、時計を表面側から見た平面視においてモーターと耐磁板とが重なることを意味する。すなわち、モーターおよび耐磁板は時計の厚さ方向に重なる位置に配置されている。
モーターの表面側（文字板側）および裏面側（裏蓋側）に耐磁板を設ければ、外部磁界の影響でモーターが誤動作することを防止でき、時計の耐磁性能を向上できる。
また、耐磁板は、モーターとは平面的に重なるが、磁性体コアや集磁部材とは平面的に重ならないので、集磁部材やアンテナに入る電波を遮断することがなく、アンテナ特性の劣化を防止できる。
【図面の簡単な説明】
【００２３】
【図１】本発明の第１実施形態に係る電波修正時計を示す平面図。
【図２】前記電波修正時計の概略構成を示すブロック図。
【図３】前記電波修正時計の内部を裏蓋側から見た概略平面図。
【図４】前記電波修正時計の概略断面図。
【図５】電波修正時計に組み込まれるアンテナを示す斜視図。
【図６】電波修正時計のムーブメントを示す概略分解斜視図。
【図７】磁性体コアおよび集磁部材を示す拡大断面図。
【図８】電波の受信状態を模式的に示す図。
【図９】第２実施形態に係る磁性体コアおよび集磁部材を示す拡大断面図。
【図１０】第３実施形態に係る電波修正時計を示す概略平面図。
【図１１】第４実施形態に係る磁性体コアおよび集磁部材を示す拡大斜視図。
【発明を実施するための形態】
【００２４】
［第１実施形態］
以下、本発明に係る第１実施形態を図面に基づいて説明する。
［電波修正時計の構成］
図１は、本実施形態に係る電波修正時計１の平面図であり、図２は、電波修正時計１の概略構成を示すブロック図である。
アンテナ内蔵式電子時計である電波修正時計１は、図１に示すように、時刻を表示する時刻表示部１０を備えた指針式腕時計（アナログ時計）である。この時刻表示部１０は、時針１１、分針１２、秒針１３、文字板１４を備える。そして、電波修正時計１は、時刻情報を含む無線電波としての長波標準電波を受信し、受信した時刻情報に基づいて時針１１、分針１２、秒針１３の指示位置を補正可能な時計である。
ここで、文字板１４としては、例えば合成樹脂やセラミック等の非導電性素材から形成されていることが好ましく、これにより、後述するカバーガラス１２０側から進入する長波標準電波が阻害されず、後述するアンテナ２１にて良好に受信させることができる。
【００２５】
［電波修正時計の回路構成］
電波修正時計１は、時刻表示部１０を備える他、図２に示すように、長波標準電波を受信するアンテナ２１と、アンテナ２１で受信した長波標準電波を処理して時刻情報（タイムコード）として出力する受信回路２２と、受信回路２２から出力された時刻情報を記憶するデータ記憶回路２３と、時計１の動作を制御する制御回路２４と、時刻表示部１０の駆動を制御する表示駆動回路２５と、時刻表示部１０の指針の針位置を検出する針位置検出回路２６と、発電装置と、発電装置で発電された電力を蓄電する二次電池２８と、竜頭やボタンなどで構成された外部操作部材６を備えて構成されている。
発電装置は、本実施形態では、ソーラーパネルと充電制御回路とで構成されている。このため、図２では、発電装置を示す符号２７として、ソーラーパネルおよび充電制御回路を記載した。また、以下の説明においては、ソーラーパネル２７は、パネル単体を示す場合と、充電制御回路を含む発電装置を示す場合とがある。
【００２６】
［電波修正時計の構造］
次に、電波修正時計１の具体的構造について説明する。
電波修正時計１は、外装ケース１００を備えている。外装ケース１００は、図３，４にも示すように、約リング状に形成されたケーシング（胴）１１０と、ケーシング１１０の表面側に装着されたカバーガラス１２０と、ケーシング１１０の裏面側に着脱可能に取り付けられた裏蓋１３０とを備えている。
【００２７】
ケーシング１１０は、ステンレス鋼、真鍮、チタン等の金属材で構成されている。このケーシング１１０は、略円筒状に形成され、内周面が平面略円形に形成されている。
裏蓋１３０は、ケーシング１１０と同様な金属材で構成され、ケーシング１１０の裏面開口に固定されている。
【００２８】
外装ケース１００内には、図３，４に示すように、回路基板３０、モーター４１，４２、輪列４３、二次電池２８などを有するムーブメント（モジュール）５と、アンテナ２１が配置されている。これらの回路基板３０、モーター４１，４２、輪列４３、二次電池２８等は、地板５０に取り付けられている。
【００２９】
なお、前記回路基板３０には、受信回路２２、データ記憶回路２３、制御回路２４、表示駆動回路２５などを構成するＩＣ３１が取り付けられている。
また、地板５０の表面側には、ソーラーパネル２７および文字板１４が積層されて取り付けられている。
地板５０は、合成樹脂などの非導電性部材で構成されている。
【００３０】
文字板１４は、ソーラーパネル２７に光を照射できるように、合成樹脂やガラスなど透光性の部材で構成されている。これらの非導電性部材を用いれば、文字板１４は標準電波を遮蔽することもない。
ソーラーパネル２７も、標準電波を遮蔽することがないように、フィルム基板等を用いて構成されている。
従って、ケーシング１１０および裏蓋１３０が電波を通さない金属製であっても、前記アンテナ２１は、電波修正時計１の表面側からカバーガラス１２０、文字板１４、ソーラーパネル２７を通して入射する標準電波を受信することができる。
【００３１】
［モーターの配置構造］
電波修正時計１は、図３に示すように、外装ケース１００の内周面１１０Ａに略沿って配置された、秒モーター４１および時分モーター４２の２つのモーターを備えている。
秒モーター４１は、外装ケース１００の中心に対して５時方向に配置され、時分モーター４２は、外装ケース１００の中心に対して３時方向に配置されている。これらの各モーター４１，４２は、時計の指針を駆動する一般的なステッピングモーターであるため、説明を省略する。
【００３２】
秒モーター４１は、五番車、四番車等からなる輪列４３を駆動して秒針を運針する。時分モーター４２は、三番車、二番車、日の裏車、筒車等からなる輪列４３を駆動して、分針、時針を運針する。
【００３３】
前記地板５０には、図３，４に示すように、前記各モーター４１，４２を上下に挟んだ耐磁板４５が取り付けられている。
耐磁板４５は、鉄など透磁率の高い金属板からなり、各モーター４１，４２のモーターコイルおよびステーターに対して、平面的に重ねて配置されている。これにより、外部磁界がモーター４１，４２に悪影響を与えることを防いでいる。
【００３４】
［アンテナの構造］
アンテナ２１は、図５に示すように、磁性体コア（アンテナコア）２１１およびアンテナ枠２１３に、コイル２１２を巻いて構成されており、必要に応じて、耐食性に優れるカチオン電着塗装等で絶縁を施したものである。
【００３５】
磁性体コア２１１は、例えば、磁性箔材としてのコバルト系のアモルファス金属箔（例；Ｃｏ５０ｗｔ％以上のアモルファスシート）を型で打ち抜くか、エッチングで成形したものを１０〜３０枚程接着して重ね合わせ、焼鈍等の熱処理を行って磁気特性を安定化させたものである。
また、本実施形態の磁性体コア２１１は、コイル２１２が巻かれる中央部（コイル巻部）が直線状に形成され、かつ、両端部（電波の磁束を取り込むリード部２１１Ａ）が湾曲された平面形状のアモルファス箔を、同様の平面形状とされたアンテナ枠２１３内に配置して時計の厚み方向に積層して構成されている。なお、磁性体コア２１１としては、積層アモルファス箔に限定されず、性能は劣るが安価なフェライトを用いてもよく、この場合には、型等で成形し、熱処理して製造すればよい。
【００３６】
ここで、磁性体コア２１１の各アモルファス箔は、厚さ寸法が０．０１ｍｍ〜０．０５ｍｍ程度であるため、例えば３０枚積層した場合、磁性体コア２１１の積層方向の厚さ寸法は０．３〜１．５ｍｍ程度である。アモルファス箔材はフェライトに比べて磁気特性が良いため、より小型・薄型のアンテナ２１を実現できる。そして、アンテナ特性は、コアの体積によって影響されるため、アンテナを薄くする分、アンテナ特性を維持するには、アンテナの平面積を大きくするか、アンテナ長さ（コア長さ）を長くする必要がある。従って、本実施形態では、磁性体コア２１１の幅寸法は例えば０．５〜３．０ｍｍ程度であり、長さは１５〜３０ｍｍ程度とされている。なお、アモルファス金属板の厚みが０．０５ｍｍより厚くなると、板圧中央部は迅速な冷却を行うことが困難なため、金属はアモルファス化させることなく結晶化されてしまう。すなわち、アモルファス金属を製造するには、金属が結晶化される以前に、迅速な冷却作業を行う必要があり、そのためには、金属の厚みを薄くしなくてはならない。また、アモルファス金属板の厚みが０．０１ｍｍより薄くなると、組立作業等において、アモルファス金属板の強度が弱くなって変形しやすくなるので、部品の位置決め作業や部品の取扱作業等が非常にやりにくくなる。
【００３７】
コイル２１２は、長波標準電波（４０〜７７．５ｋＨｚ）を受信する場合は、２０ｍＨ程度のインダクタンス値が必要となる。このため、本実施形態では、コイル２１２として直径０．１μｍ程度のウレメット線を数百ターンほど巻いて構成している。
また、コイル２１２の巻き方としては、特に限定されず、乱巻きなどでもよいが、特に整列巻きが好ましい。整列巻きを採用すれば、コイル線材間の無駄な空間が無くなり、同じインダクタンス値を得るためのコイル体積を小さくできる。
【００３８】
アンテナ枠２１３は、合成樹脂製の部材であり、前記磁性体コア２１１を保持している。アンテナ枠２１３において、磁性体コア２１１のリード部２１１Ａを保持する部分は、磁性体コア２１１のアモルファス箔の積層方向の一方側が開口され、リード部２１１Ａが露出されている。
また、アンテナ枠２１３の両端部には貫通孔２１３Ａが形成されている。
【００３９】
アンテナ２１は、ケーシング１１０の円周状の内周面１１０Ａに沿って配置されている。すなわち、図３に示すように、磁性体コア２１１の平面形状は、前述したように、コイル２１２が巻かれるコイル巻部が直線状に形成され、かつ、リード部２１１Ａが湾曲されている。このため、磁性体コア２１１のリード部２１１Ａは、外装ケース１００の円弧状の内周面にほぼ沿って配置されている。
【００４０】
このようなアンテナ２１は、外装ケース１００の中心に対して９時方向に配置されている。一方、外装ケース１００の３時側には外部操作部材６が配置されている。外部操作部材６は、外装ケース１００の３時位置に配置された、巻真６１および竜頭６２と、２時位置および４時位置に配置されたボタン６３，６４とを備えている。
すなわち、外部操作部材６、アンテナ２１とは、外装ケース１００の平面中心位置を挟んで互いに反対側に配置されている。
なお、巻真６１の周囲には、おしどり６５等の切換部品が設けられている。
【００４１】
［二次電池の構造］
二次電池２８は、リチウムイオン電池等の充電が可能な一般的なボタン型の電池である。この二次電池２８は、図６に示すように、上方が開口した正極缶２８１と、正極缶２８１の開口を閉塞する負極キャップ(負極缶)２８２と、正極缶２８１と負極キャップ２８２とを絶縁するとともに、二次電池２８内部の活物質や電解液が漏れないようにシールするガスケットとを備える。
【００４２】
電池マイナス端子板２９１は、導体を有する材質で構成され、図３にも示すように、二次電池２８の負極キャップ２８２の上面に溶接で固定されるとともに、回路基板と導通する負極端子に接触される。
電池プラス端子板２９２は、導体を有する材質で構成され、図７に示すように、二次電池２８の側面（正極缶２８１）に接触されるとともに、回路基板と導通する正極端子に接触される。
【００４３】
［二次電池の配置構造］
二次電池２８は、前記アンテナ２１のリード部２１１Ａに隣接して配置されている。具体的には、二次電池２８は、外装ケース１００の中心に対し略１２時方向に配置されている。このため、二次電池２８つまり電池収納部５２は、磁性体コア２１１のリード部２１１Ａの延長方向に配置されている。このように、アンテナ２１および二次電池２８（電池収納部５２）は、それらの間にモーター４１，４２等の他の部品を配置することなく、横並びに配置されている。
【００４４】
地板５０には、図６に示すように、前記アンテナ２１を収納するアンテナ収納部５１と、二次電池２８を収納する電池収納部５２が形成されている。図６は、地板５０の裏面（裏蓋１３０側の面）を上面とする図であり、各収納部５１，５２は裏蓋１３０側に開口されている。また、図６の地板５０は、発明の特徴部分を分かりやすくするため、簡略して記載している。
アンテナ収納部５１は、地板５０の外周部から一段低いレベルに形成された凹部とされ、かつ、コイル２１２が配置される部分は貫通孔とされている。
電池収納部５２は、二次電池２８の形状に合わせて円筒状の凹部とされている。この電池収納部５２の底面は、アンテナ収納部５１において磁性体コア２１１のリード部２１１Ａが配置される底面よりもさらに深くされている。このため、アンテナ収納部５１および電池収納部５２間には段差５３が生じている。
【００４５】
［集磁部材の構造］
電池収納部５２には、集磁部材７０が配置されている。この集磁部材７０は、電池収納部５２の底面に配置される円形部７１と、この円形部７１に連続して形成され、前記アンテナ収納部５１に配置される円弧部７２とを備えている。
【００４６】
集磁部材７０は、アモルファスシートからなる磁性箔体（アモルファス箔）を数枚（例えば３枚）積層して構成されている。
アモルファス箔としては、例えばコバルト系アモルファス（Co-Fe-Ni-B-Si）などが挙げられる。この集磁部材７０は、例えばコバルト系アモルファス（Co-Fe-Ni-B-Si）の場合で比透磁率が２００００であり、文字板１４およびソーラーパネル２７に比べてはるかに高い透磁率を有している。
【００４７】
［集磁部材の配置構造］
地板５０のアンテナ収納部５１には、ネジピン５５が、地板５０に打ち込まれて固定されている。
前記集磁部材７０、アンテナ枠２１３、二次電池２８の電池マイナス端子板２９１には、前記ネジピン５５が挿通される孔７３，２１３Ａがそれぞれ形成されている。
そして、地板５０のネジピン５５には、集磁部材７０、アンテナ枠２１３、電池マイナス端子板２９１が順次挿通されて積層される。そして、図６，７に示すように、前記ネジピン５５にネジ５６をねじ込むことで、集磁部材７０、アンテナ枠２１３、電池マイナス端子板２９１は、地板５０に固定される。
【００４８】
また、電池収納部５２内において、前記集磁部材７０と二次電池２８との間には、絶縁スペーサー７５が配置されている。絶縁スペーサー７５は、合成樹脂などの非導電性部材からなるスペーサーである。すなわち、電池収納部５２には、文字板側から、集磁部材７０、絶縁スペーサー７５、二次電池２８の順に積層されている。従って、集磁部材７０および二次電池２８は、時計の厚さ方向に絶縁スペーサー７５を介して重ねられて配置されている。
【００４９】
ここで、前記集磁部材７０が配置されるアンテナ収納部５１および電池収納部５２間には、各収納部の底面高さが異なるために段差５３が生じる。
集磁部材７０は、アモルファス箔の積層材である。アモルファス箔を熱処理すると、磁気特性が向上するが、硬くなってもろくなるため、曲げた場合に破損するおそれがあり、取扱いが難しい。そこで、本実施形態の集磁部材７０は、熱処理していない。このため、集磁部材７０は、前記段差５３部分で曲げた状態で配置できる。
【００５０】
磁性体コア２１１の一方のリード部２１１Ａは、前記集磁部材７０に重なるように接触して配置され、集磁部材７０に磁気結合されている。
従って、集磁部材７０には、周囲の磁束線が集められ、集磁部材７０からリード部２１１Ａを介して磁性体コア２１１の内部を通過する磁束線の磁束密度も高くなる。
【００５１】
この際、磁性体コア２１１を保持するアンテナ枠２１３と、集磁部材７０とは、ネジ５６で地板５０に固定されているので、磁気特性のバラツキが軽減されている。
すなわち、ネジ５６で固定せずに、磁性体コア２１１に集磁部材７０を載せているだけでは、磁性体コア２１１および集磁部材７０の間隔がばらついて磁気結合の度合いが変わりやすく、個々のアンテナ２１のインダクタンス値やＱ値などの性能のバラツキや経年変化が大きくなる。
これに対し、本実施形態では、ネジ５６で固定しているので、磁性体コア２１１と集磁部材７０との間隔や固定力（密着力）を一定に保つことができる。これにより、磁性体コア２１１と集磁部材７０との磁気結合をばらつき無く確実に行うことができる。
【００５２】
なお、磁性体コア２１１に穴を明けて、ネジ５６で磁性体コア２１１を地板５０に直接固定するのは、コア２１１に応力が加わり、磁気特性が劣化するので好ましくない。このため、本実施形態では、アンテナ枠２１３に貫通孔２１３Ａを形成してネジ５６で固定している。
なお、前記ネジ５６は、図７にも示すように、電池マイナス端子板２９１や、回路基板３０の固定にも兼用されており、ネジ締め箇所の数を抑制している。
【００５３】
［電波の受信状態の説明］
電波修正時計１の外装ケース１００は、金属製のケーシング１１０および裏蓋１３０で構成されているので、長波標準電波等の電波Ｗは、図８に示すように、カバーガラス１２０、文字板１４、ソーラーパネル２７、地板５０を通してアンテナ２１に入る。従って、集磁部材７０を、アンテナ２１や二次電池２８よりも文字板１４側に配置することで、文字板１４側から入る電波Ｗを集磁部材７０に引き寄せることができる。このため、磁性体コア２１１を通過する磁束線の磁束密度が向上し、アンテナ特性を向上できる。
【００５４】
なお、前記制御回路２４は、受信回路２２の駆動時つまり電波受信時には各モーター４１，４２を停止することが好ましい。モーター４１，４２が駆動する際に発生する磁界が、電波受信に影響することを防止できるためである。
【００５５】
このような本実施形態によれば、次の効果が得られる。
（１）二次電池２８を収納する電池収納部５２に、集磁部材７０を配置したので、二次電池２８および集磁部材７０を時計の厚さ方向に重ねて配置できる。
ここで、集磁部材７０を二次電池２８と平面的に異なる場所に配置する場合には、配置スペースを確保することが難しく、配置できたとしても集磁部材７０の面積は小さくなり、集磁効果を向上できない。
これに対し、本実施形態では、二次電池２８および集磁部材７０を時計の厚さ方向に重ねて配置しているので、電池収納部５２を集磁部材７０の配置スペースとして兼用できる。その上、電池収納部５２に配置される集磁部材７０の円形部７１は、二次電池２８の面積と同程度に大きくできるので、集磁効果を向上でき、アンテナ特性も向上できる。特に、二次電池２８は、地板５０に取り付けられる部品の中でも大型の部品であり、電池収納部５２も地板５０の中で大きなスペースを占める。従って、この電池収納部５２に配置される集磁部材７０も、大きな面積を確保でき、集磁効果を高めることができる。
このため、特に、腕時計のように、外装ケース１００内のスペースが小さく、各部品レイアウトの制約が大きい電波修正時計１において、前記集磁部材７０を電池収納部５２に設けることで、集磁効果を高めることができ、アンテナ２１の特性を向上できる。従って、本発明は、特に腕時計のような小型の電波修正時計１に適したものにできる。
【００５６】
（２）集磁部材７０は、電池収納部５２の底面に配置されているので、文字板１４に近接して配置でき、文字板１４およびソーラーパネル２７側から入る電波を効果的に集めることができる。
すなわち、二次電池２８の組み込みを時計の組立工程の最終段階でも行えるように、電池収納部５２は地板５０の裏蓋１３０側に開口している。
さらに、二次電池２８は、時計部品の中でもアンテナ２１と同様に厚さ寸法が大きい。このため、二次電池２８が組み込まれた際のムーブメントの厚さ寸法を抑えるため、電池収納部５２の底部は薄く形成されている。
従って、電池収納部５２の底面に配置された集磁部材７０は、ソーラーパネル２７に対して電池収納部５２の底部の厚さ寸法だけしか離れていないので、文字板１４やソーラーパネル２７との距離も小さくできる。よって、集磁部材７０を文字板１４に近接して配置でき、文字板１４側から入る電波を効果的に集めることができる。
【００５７】
（３）集磁部材７０は、アモルファス箔で構成され、かつ、熱処理されていないので、曲げて配置することができる。本実施形態では、電池収納部５２の底部の厚さ寸法をできるだけ小さくしたために、アンテナ収納部５１および電池収納部５２に段差５３が生じている。この際、前記集磁部材７０を用いることで、集磁部材７０を湾曲させて配置でき、前記段差５３も吸収できるので、集磁部材７０の組立性を向上できる。
【００５８】
（４）さらに、本実施形態では、アンテナ２１のアンテナ枠２１３および集磁部材７０をネジ５６で地板５０に固定しているので、磁性体コア２１１と集磁部材７０との間隔や固定力を一定に保つことができる。これにより、磁性体コア２１１と集磁部材７０との磁気結合をばらつき無く確実に行うことができる。
その上、ネジ５６は、電池マイナス端子板２９１や回路基板３０を固定するネジを兼用しているので、ネジ締め箇所が増加することもなく、部品コストや製造コストが増加することも防止できる。
【００５９】
（５）アンテナ２１を９時位置、二次電池２８を１２時位置に配置しているので、他の部品のレイアウトも容易に行え、外装ケース１００内のスペースを有効利用できる。すなわち、時計の２時〜４時位置には、ボタン６３，６４や竜頭６２、巻真６１などの外部操作部材６や、前記巻真６１に係合するおしどり６５などの切換装置が配置される。このため、これらの位置に、アンテナ２１や二次電池２８等の大きな部品を配置することはできない。
そこで、本発明は、アンテナ２１を９時位置に配置し、二次電池２８を１２時位置に配置している。さらに、アンテナ２１および二次電池２８を隣接して配置しているので、モーター４１，４２を、２時から４時位置に配置できる。すなわち、地板５０に取り付けられる部品のうち、アンテナ２１、二次電池２８、モーター４１，４２を、時計の中心位置に配置される輪列の周囲に、分散して配置できるので、各部品を効率的に配置できる。
【００６０】
（６）さらに、アンテナ２１およびモーター４１，４２を平面的に離して配置しているので、モーター４１，４２の上下に耐磁板４５を設けても、アンテナ特性の劣化を抑えることができる。すなわち、耐磁板４５は、外部からの電波も遮蔽してしまうため、アンテナ２１に近接して耐磁板４５が配置されていると、アンテナ２１に入る磁束が減少し、アンテナ特性が劣化する。これに対し、本実施形態では、耐磁板４５をアンテナ２１から離して配置できるので、アンテナ特性の劣化を抑制できる。
さらに、アンテナ２１は、従来の電波修正時計において一般的な配置箇所である９時位置に配置されている。このため、ユーザーは、従来の電波修正時計と同じアンテナ位置であるため、受信動作時の時計の向きなどの注意事項も同じであり、従来と同様に取り扱うことができる。
【００６１】
（７）本実施形態では、金属製の外装ケース１００を用いても外部無線情報を受信することができるため、ケースを合成樹脂等で構成した場合に比べて高級感の高い外観意匠が得られ、これによりデザイン上の制約も少ない電波修正時計１を提供することができる。その上、外装ケース１００に切欠部を形成したり、外装ケース１００を合成樹脂と金属の２重ケースにしたりする必要がないため、製造コストも低減できる。さらに、アンテナ２１を内周面１１０Ａに近接して配置できるので、アンテナ２１の長さもある程度確保できて、アンテナ特性の低下も防止できるとともに、時計１を小型化することもできる。
【００６２】
（８）二次電池２８と集磁部材７０との間に、絶縁スペーサー７５を配置しているので、アンテナ特性の劣化を抑えることができる。
すなわち、二次電池２８の容器はステンレス製であり、非磁性材であるため、集磁特性には寄与しない一方で、金属ケースと同様にアンテナ特性においては悪影響を及ぼす。ここで、二次電池２８およびアンテナ２１は平面的に離れているのでアンテナ特性への影響は小さいが、集磁部材７０は二次電池２８と平面的に重なる。このため、集磁部材７０と二次電池２８とが近すぎると、アンテナ特性が低下する。従って、絶縁スペーサー７５を設けて、二次電池２８を集磁部材７０から時計厚さ方向に離すことで、アンテナ特性の低下を抑制できる。
【００６３】
［第２実施形態］
本発明の第２実施形態について、図９を参照して説明する。
第２実施形態は、電池収納部５２とアンテナ収納部５１の段差５３を無くした点と、二次電池２８の配置向きを逆にした点が前記第１実施形態と相違する。このため、前記実施形態と同一または同様の構成については説明を省略する。
【００６４】
第２実施形態では、地板５０に形成されるアンテナ収納部５１および電池収納部５２の底面高さは一致され、第１実施形態のような段差５３は無くされている。
このため、集磁部材７０は、途中で湾曲させる必要がない。そこで、第２実施形態では、熱処理したアモルファス箔を積層した集磁部材７０を用いている。
【００６５】
また、二次電池２８は、負極キャップ２８２が集磁部材７０側つまり文字板１４側となる向きで電池収納部５２内に配置されている。このため、電池マイナス端子板２９１は、絶縁スペーサー７５の裏蓋側に積層されている。また、電池プラス端子板２９２は、回路基板３０、アンテナ枠２１３、集磁部材７０と共に、ネジ５６で地板５０に固定されている。
【００６６】
第２実施形態では、前記第１実施形態と同様の作用効果を奏する上、次の効果も得られる。
アンテナ収納部５１、電池収納部５２間に段差がなく、集磁部材７０を湾曲させる必要がないため、熱処理したアモルファス箔で集磁部材７０を構成できる。このため、熱処理を行わない第１実施形態の集磁部材７０に比べて、磁気特性が向上し、アンテナ性能を向上できる。
ただし、第１実施形態に比べて、電池収納部５２の底部が厚くなるので、二次電池２８を配置した際のムーブメント５の厚さ寸法が大きくなる。このため、時計１の薄型化の点では第１実施形態のほうが優れている。
【００６７】
［第３実施形態］
本発明の第３実施形態について、図１０を参照して説明する。
第３実施形態は、アンテナ２１を時計の１２時位置に配置し、二次電池２８を９時位置に配置した点が前記第１実施形態と相違する。それ以外の構成は、第１実施形態と同一であるため、説明を省略する。
【００６８】
第３実施形態では、図１０に示すように、外部操作部材６に対して外装ケース１００の平面中心を挟んだ反対側である９時位置に二次電池２８が配置されている。また、二次電池２８に隣接して、１２時位置にアンテナ２１が配置されている。
さらに、アンテナ２１が１２時位置に配置されたために、モーター４１，４２および耐磁板４５は外装ケース１００の平面中心に対して６時位置側に配置されている。
【００６９】
第３実施形態においても、前記第１実施形態と同じ作用効果を奏することができる。また、この第３実施形態に、前記第２実施形態の構成を採用すれば、第２実施形態と同じ作用効果を奏することができる。
【００７０】
［第４実施形態］
本発明の第４実施形態について、図１１を参照して説明する。
第４実施形態は、平面矩形状の集磁部材７０Ａを用いた点が前記第１実施形態と相違する。それ以外の構成は、第１実施形態と同様であるため、説明を省略する。
【００７１】
第４実施形態では、平面矩形状の集磁部材７０Ａを用いている。この集磁部材７０Ａは、前記第１実施形態と同様に、熱処理していないアモルファス箔を積層して形成している。
また、アンテナ収納部５１および電池収納部５２には、集磁部材７０Ａを収納する凹部５７が形成されている。この凹部５７には、各収納部５１，５２の高さの違いを吸収するため、傾斜面５７Ａが形成されている。
さらに、集磁部材７０Ａには位置固定用の穴を形成せず、地板５０にアンテナ枠２１３を固定するためのねじ穴５８を形成している。
【００７２】
この第４実施形態では、平板状の集磁部材７０Ａを凹部５７に配置する。この際、集磁部材７０Ａは熱処理されていないので、傾斜面５７Ａ等に沿って湾曲されて凹部５７内に収納される。
そして、アンテナ収納部５１にアンテナ枠２１３を配置し、電池収納部５２に絶縁スペーサー７５および二次電池２８を配置し、ねじ穴５８を用いて固定する。すると、集磁部材７０Ａは、平面方向には凹部５７で位置決めされ、時計厚さ方向には集磁部材７０Ａの上に、絶縁スペーサー７５、二次電池２８、アンテナ枠２１３が配置されることで位置決めされる。
【００７３】
第４実施形態によれば、以下の作用効果も奏することができる。
すなわち、集磁部材７０Ａが平面矩形状と単純な形状であり、孔も形成されていないので、プレス加工ではなく、スリット加工でも作ることができ、製造コストを低減できる。ただし、前記各実施形態のほうが、集磁部材７０の面積が大きいため、アンテナ特性の点では有利である。
また、収納部５１，５２に凹部５７を形成しているので、集磁部材７０Ａをネジで固定しなくても位置決めすることができる。
【００７４】
〔他の実施形態〕
なお、本発明は、前記各実施形態に限定されるものではない。
すなわち、本発明は、主に特定の実施の形態に関して特に図示され、かつ、説明されているが、以上述べた実施の形態に対し、本発明の技術的思想および目的の範囲から逸脱することなく、形状、材質、数量、その他の詳細な構成において、当業者が様々な変形を加えることができる。
【００７５】
例えば、第１実施形態では、二次電池２８を１２時位置に配置していたが、６時位置に配置してもよい。同様に、第３実施形態では、アンテナ２１を１２時位置に配置していたが、６時位置に配置してもよい。これらの場合も、モーター４１，４２は残りのスペースに配置すればよい。
【００７６】
集磁部材７０としては、積層アモルファス箔で構成されたものに限らず、フェライトシート等の磁性箔体を用いてもよいし、アモルファス粉末に合成樹脂を混ぜて成形したものや、フェライトコアなどの磁性体を用いてもよい。ただし、アモルファス箔やフェライトシートなどの磁性箔体を用いたほうが、厚さ寸法を小さくでき、かつ、磁気特性に優れている点で好ましい。
また、集磁部材７０としては、電池収納部５２およびアンテナ収納部５１に跨って配置されるものに限らず、磁性体コア２１１に磁気結合できるのであれば、電池収納部５２のみに配置されるものでもよい。
【００７７】
さらに、前記各実施形態では、二次電池２８および集磁部材７０間に絶縁スペーサー７５を配置していたが、絶縁スペーサー７５を配置せずに構成してもよい。たとえば、電池収納部５２の底面に、直径の小さな凹部を形成し、この凹部に集磁部材７０の円形部７１を配置し、円弧部７２を収納部５１に配置する。そして、前記円形部７１が配置された凹部の高さ寸法を円形部７１よりも大きくし、凹部の底面に円形部７１が配置されるように、前記円弧部７２をアンテナ枠２１３で押さえて固定すれば、電池収納部５２の底面と、凹部内の円形部７１の上面との間に空間を形成できる。このような構成を採用すれば、絶縁スペーサー７５を設けなくても、二次電池２８および集磁部材７０を離間して配置することができる。
【００７８】
前記実施形態では、発電装置としてソーラーパネル２７を設けていたが、回転錘で回転される発電機などの他の発電装置を用いてもよい。さらに、ソーラーパネル２７等の発電装置を設けなくてもよい。この場合、電池として一次電池を用いればよい。
【００７９】
さらに、アンテナ２１によって受信する無線情報としては、時刻情報を含む長波標準電波に限定されない。例えば、アンテナ２１は、３００ＭＨｚ帯の微弱電波無線、４００ＭＨｚ帯の特定小電力無線、非接触ＩＣカードおよびキーレスエントリー等に用いられる１３５ｋＨｚ帯の無線などの各種無線信号を受信するものでもよい。これらの無線を受信する場合には、長波標準電波に比べて周波数が高いため、コイル２１２のターン数は少なくてよく、アンテナ２１も小さくできる。
【００８０】
また、電波を用いた無線通信に限らず、電磁結合方式や電磁誘導方式等の他の無線通信方式を用いてもよい。なお、電磁結合や電磁誘導方式は、通信機器同士を近接させる必要があるが、ステンレス等の非磁性体であれば金属部分でも透過して通信が可能なため、アンテナが内蔵されるケースをステンレス等の金属製で構成できる利点がある。
【００８１】
さらに、前記アンテナ２１を用いて通信する無線情報としては、時刻情報に限らない。例えば、時計１内にＩＣカード機能を内蔵させ、電車の定期券や各種プリペイドＩＣカードのような情報を送受信するために利用してもよい。例えば、ケース内にＩＣチップとアンテナ等を組み込み、ＩＣカードを用いた改札機や入退室管理機、各種の課金支払機等に腕時計を近接させて情報をやり取りできるようにしてもよい。この場合、別途、ＩＣカードを出し入れする必要がなく、時計をはめた手を近付けるだけでよいため、操作性を非常に向上することができる。
従って、本発明のアンテナ内蔵式電子時計に内蔵されるアンテナ２１としては、標準電波を受信する場合のような受信専用に用いるものでもよいし、非接触ＩＣを用いたタグのように、情報を送受信するために用いてもよいし、さらには送信専用に用いてもよく、これらは本発明を適用する電子時計の種類に応じて適宜選択すればよい。
【００８２】
また、アンテナ２１は、ループアンテナや誘導体アンテナ等の他のアンテナを用いてもよく、これらは送信あるいは受信する無線情報の種類等に応じて適宜設定すればよい。なお、ループアンテナを用いる場合は、磁性体コアが挿入されていないものを用いてもよい。
【符号の説明】
【００８３】
１…電波修正時計、５…ムーブメント（モジュール）、６…外部操作部材、１４…文字板、２１…アンテナ、２７…ソーラーパネル（発電装置）、２８…二次電池、３０…回路基板、４１…秒モーター、４２…時分モーター、４５…耐磁板、５０…地板、５１…アンテナ収納部、５２…電池収納部、５３…段差、５５…ネジピン、５６…ネジ、５７…凹部、６１…巻真、６２…竜頭、７０，７０Ａ…集磁部材、７１…円形部、７２…円弧部、７３…孔、７５…絶縁スペーサー、１００…外装ケース、１１０…ケーシング（胴）、１３０…裏蓋、２１１…磁性体コア、２１１Ａ…リード部、２１２…コイル、２１３…アンテナ枠、２１３Ａ…貫通孔、２９１…電池マイナス端子板、２９２…電池プラス端子板。
【図１】
2012163516.tif 000003
【図２】
2012163516.tif 000004
【図３】
2012163516.tif 000005
【図４】
2012163516.tif 000006
【図５】
2012163516.tif 000007
【図６】
2012163516.tif 000008
【図７】
2012163516.tif 000009
【図８】
2012163516.tif 000010
【図９】
2012163516.tif 000011
【図１０】
2012163516.tif 000012
【図１１】
2012163516.tif 000013